(57)【特許請求の範囲】
【請求項１】
ロッカー前面の扉に鏡孔を貫設するとともに、一枚の金属板を素材として形成した両面鏡を前記鏡孔に取り付けることにより、前記扉の内側および外側において前記両面鏡を利用できるようにしたロッカーであって、
前記扉の内面には、前記鏡孔の周囲に延びる環状の取付座が固着され、
前記取付座の環状部の内側には、前記両面鏡の周縁を保持している枠体が前記扉の内面に接するように挿入され、
前記扉の内面に向かって前記枠体を押し込むガイド部材が前記取付座に取り付けられ、
前記取付座、前記ガイド部材および前記枠体によって前記両面鏡を前記扉に固定するように構成されていることを特徴とするロッカー。
【請求項２】
ロッカー前面の扉に鏡孔を貫設するとともに、前記鏡孔より小さい一枚の金属板を素材として形成した両面鏡を前記鏡孔に取り付けることにより、前記扉の内側および外側において前記両面鏡を利用できるようにしたロッカーであって、
前記鏡孔の内周縁および前記両面鏡の外周縁を前記扉の内側および外側から同時に挟み込む、それぞれ環状の外側取付部材および内側取付部材を備え、
前記外側取付部材は、前記鏡孔に挿通されて前記扉の内側に突出する突片を有し、
前記内側取付部材は、前記突片と係合して抜け止めとなる凹所を有し、
前記突片および前記凹所が係合すると、前記外側取付部材および前記内側取付部材が前記扉および前記両面鏡を同時に挟んで一体に固定するように構成されていることを特徴とするロッカー。
【請求項３】
ロッカー前面の扉に鏡孔を貫設するとともに、前記鏡孔より大きい一枚の金属板を素材として形成した両面鏡を前記鏡孔に取り付けることにより、前記扉の内側および外側において前記両面鏡を利用できるようにしたロッカーであって、
前記扉の内面には、前記両面鏡の外径に等しい内径を有する第１の段部と、この第１の段部より大きくかつその深さが浅い第２の段部とを、前記鏡孔と同心状に凹設し、
前記第１の段部の底部に前記両面鏡を配設し、
次いで環状の取付部材の筒体部分を前記第１の段部の内側に配設するとともに、この取付部材のフランジ部を前記第２の段部の底部に固定することにより、
前記両面鏡を前記扉に固定するように構成されていることを特徴とするロッカー。
【発明の詳細な説明】
【０００１】
【発明の属する技術分野】
本発明はロッカーに係り、特に開閉用扉の内外面に鏡面を有して扉の開時または閉時の何れの場合においても鏡を利用できるようにしたロッカーに関する。
【０００２】
【従来の技術】
従来からオフィス等においては、出勤時の服装のままで業務に携わることは極めてまれであり、現場に出るような外部作業のときは作業服に、またデスク作業のときは事務服に着替えることが一般に行われている。このため着替え用の更衣室には各個人別のロッカーが多く並列して配置されているが、これらロッカーは例えば図５（Ａ）にロッカーａの扉ｂの開時状態、（Ｂ）にその閉開時状態を示すように前面の扉ａはヒンジにより通常の場合は右側に開閉でき、しかもこの扉ｂの内側には鏡ｃが設けられていて、この鏡ｃを覗くことにより着替え後における身嗜みの自己チェックができるようになっている。図中、ｄは開閉用の取手である。
【０００３】
そして鏡ｃの取付けは、図６にその上部を外側とした扉ｂの断面図を示すように、枠板ｅに外周を支持された鏡ｃを扉ｂの内側に設けられた取付板ｆを介して取付けるようになされている。
【０００４】
【発明が解決しようとする課題】
しかしながら上述した従来のロッカーの鏡は何れも開閉する扉の内側に設けられているために、鏡を覗く時には扉を開ける必要があるが、鏡を覗く度にその都度扉を開けるのは面倒であるばかりでなく、開けると隣り合ったロッカーの使用者の使用にこの扉が邪魔となり、その使用者は自分のロッカーの使用ができ難くなるという問題がある。
【０００５】
特に出勤時や退出時の慌ただしい際にはロッカーの周辺が混雑して互いにいらだちが伴うことになる。
【０００６】
そこで本発明の課題は、鏡を覗く際にその扉が隣り合う使用者の邪魔になることがなく、かつ壊されて開錠されることのない鏡を有したロッカーを提供することにある。
【０００７】
【課題を解決するための手段】
上記の課題を解決するための請求項１に記載した手段は、
ロッカー前面の扉に鏡孔を貫設するとともに、一枚の金属板を素材として形成した両面鏡を前記鏡孔に取り付けることにより、前記扉の内側および外側において前記両面鏡を利用できるようにしたロッカーであって、
前記扉の内面には、前記鏡孔の周囲に延びる環状の取付座が固着され、
前記取付座の環状部の内側には、前記両面鏡の周縁を保持している枠体が前記扉の内面に接するように挿入され、
前記扉の内面に向かって前記枠体を押し込むガイド部材が前記取付座に取り付けられ、
前記取付座、前記ガイド部材および前記枠体によって前記両面鏡を前記扉に固定するように構成されていることを特徴としている。
【０００８】
また、上記の課題を解決するための請求項２に記載した手段は、
ロッカー前面の扉に鏡孔を貫設するとともに、前記鏡孔より小さい一枚の金属板を素材として形成した両面鏡を前記鏡孔に取り付けることにより、前記扉の内側および外側において前記両面鏡を利用できるようにしたロッカーであって、
前記鏡孔の内周縁および前記両面鏡の外周縁を前記扉の内側および外側から同時に挟み込む、それぞれ環状の外側取付部材および内側取付部材を備え、
前記外側取付部材は、前記鏡孔に挿通されて前記扉の内側に突出する突片を有し、
前記内側取付部材は、前記突片と係合して抜け止めとなる凹所を有し、
前記突片および前記凹所が係合すると、前記外側取付部材および前記内側取付部材が前記扉および前記両面鏡を同時に挟んで一体に固定するように構成されていることを特徴としている。
【０００９】
また、上記の課題を解決するための請求項３に記載した手段は、
ロッカー前面の扉に鏡孔を貫設するとともに、前記鏡孔より大きい一枚の金属板を素材として形成した両面鏡を前記鏡孔に取り付けることにより、前記扉の内側および外側において前記両面鏡を利用できるようにしたロッカーであって、
前記扉の内面には、前記両面鏡の外径に等しい内径を有する第１の段部と、この第１の段部より大きくかつその深さが浅い第２の段部とを、前記鏡孔と同心状に凹設し、
前記第１の段部の底部に前記両面鏡を配設し、
次いで環状の取付部材の筒体部分を前記第１の段部の内側に配設するとともに、この取付部材のフランジ部を前記第２の段部の底部に固定することにより、
前記両面鏡を前記扉に固定するように構成されていることを特徴とするロッカー。
【００１０】
【発明の実施の形態】
以下、本発明を図面に示す実施の形態を参照して説明する。
【００１１】
本発明にかかるロッカー１は、図１（Ａ）に扉２の開時状態の斜視図、同（Ｂ）に閉時状態の斜視図を示すように、扉２には鏡３が設けられている。
【００１２】
鏡３は１枚の金属板を素材としてその両面に例えば銀をスパッタリングさせて鏡面としたものである。したがって従来のロッカーに使用されているガラス製の鏡と異なり、叩いても割れ等は生じない。図中、４は開閉用の取手で施錠ができるものである。
【００１３】
鏡３の扉２への取付けは、例えば図２にその１例を示すように、扉２の上方部に適宜大きさの鏡孔２ａをあけ、扉２の内面に鏡３の取付座５を溶接等により固着する。
【００１４】
取付座５の形状は断面がＵ字型で円環状または角環状に形成され、Ｕ字状断面の開放側が扉の内面に接触するようにスポット溶接等により固着されている。そしてＵ字型断面の底面外側は締付面５ａとなっている。
【００１５】
取付座５の環状部内には、鏡３の周縁を保持する枠体６の側面が鏡孔２ａの周縁に接するように挿入され、この枠体６には押込みにより枠体６を固定するガイド部材７のフランジ部７ａが前記締付面５ａと接触するようになされており、この両者はビス等の締付け手段８により一体化されると、鏡３も扉２に固定して取付けられる。
【００１６】
図３は鏡３を扉２に取付ける場合の他の例を示すもので、扉２に適宜大きさの鏡３よりも大きい孔２ｂをあけ、この孔２ｂにそれぞれ扉２の孔２ｂ周縁部分と鏡３の周縁部分とを内側と外側から同時に挟み込む取付部材９ａ，９ｂにより固定するようにしたものである。すなわち取付部材９ｂには取付部材９ａ側に突片９ｃが設けられ、取付部材９ａにはこの突片９ｃと係合したとき抜け止めとなる凹所９ｄが設けられており、突片９ｃと凹所９ｄとが係合することにより取付部材９ａと取付部材９ｂとは扉２と鏡３とを挟んで一体になるように取付けられる。
【００１７】
図２および図３は扉２が何れも鋼製の場合であるが、扉１１が木製の場合は図４に示すような取付けになる。この場合は扉１１に鏡３よりも小さい孔１１ａを貫通して設け、つぎに扉１１の内側から外側に向かって孔１１ａよりも大きい径の段部１１ｂとさらに大きい径の段部１１ｃをそれぞれ孔１１ａに対して同心状に、かつ適宜深さに設ける。
【００１８】
このとき段部１１ｂの径を鏡３の径と等しくすると同時に鏡３を固定するための環状の取付部材１２の形状をフランジ部１２ｂを有する筒体部分１２ａとして、内径を孔１１ａに、外径を段部１１ｂにそれぞれ合わせ、さらにフランジ部１２ｂを段部１１ｃと同径にすれば、筒体部分１２ａの端部を鏡３に接触させ、フランジ部１２ｂを段部１１ｃと１１ｂの境界面１１ｄに接触させたときフランジ部１２ｂと境界面１１ｄとをビス等の締付部材１３により締付けることにより鏡３は扉１１に固定することができる。
【００１９】
なお図１において鏡３の形状が扉２の内側が角形で外側が丸形の場合を図示したが、内側が丸形で外側が角形であっても、または両方とも丸形あるいは角形であってもよく、適宜選択して用いることは自由である。
【００２０】
【発明の効果】
本発明は以上説明したように構成したから、つぎのような効果を奏する。
１）扉に取付けた１枚の鏡を扉の内外面から覗くことができるようになり、隣り合うロッカーの使用者に対して使用の妨げとなるような従来の不具合を解消することができる。
２）鏡は金属板の素材からできているため使用中割れることがなく、ガラス製の場合のように故意に破られてそこから開錠されるような不具合を生じることがない。
３）鏡は１枚なので内外にそれぞれ使用する場合に比較して安価であり、取付けも簡単に行える。
４）鏡は扉の外側にもあるので従来のように鏡を覗く際に毎回扉を開ける必要がなくなり、煩雑さが解消される。
【図面の簡単な説明】
【図１】  本発明にかかるロッカーの一実施形態を示し、（Ａ）は扉の開時状態の斜視図、（Ｂ）は閉時状態の斜視図。
【図２】  図１の鋼製扉に対する鏡の取付け構造の一実施形態を示す断面図。
【図３】  （Ａ）は図１の鋼製扉に対する鏡の取付け構造の他の実施形態を示す断面図、（Ｂ）は（Ａ）のＰ部詳細図。
【図４】  図１のロッカーの扉が木製の場合の鏡の取付け構造の実施形態を示す断面図。
【図５】従来のロッカーを示し、（Ａ）は扉の開時の斜視図、（Ｂ）は扉の閉時の斜視図。
【図６】  図５の扉に対する鏡の取付け状態を示す断面図。
【符号の説明】
１  ロッカー
２  扉
２ａ  鏡孔
３  鏡
５  締付面
５ａ  取付面
６  枠体
７  ガイド部材
７ａ  フランジ部
８  締付け手段
１１  扉
【図１】
0003737195.tif 000002
【図２】
0003737195.tif 000003
【図３】
0003737195.tif 000004
【図４】
0003737195.tif 000005
【図５】
0003737195.tif 000006
【図６】
0003737195.tif 000007